(57)【要約】【課題】複数の情報を切り替えて表示する表示装置において、操作スイッチによる簡単な操作によって希望する情報を表示させる。【解決手段】表示装置１０は、表示パネル１１と、記憶装置１５と、第１操作と第２操作と第３操作とを行う操作スイッチ１２、１３と、第１操作と第３操作の各操作によって表示パネル１１の表示状態を制御し、且つ、第２操作によって記憶装置１５の記憶状態を制御する制御装置１４とを備え、第２操作によって、液晶パネル１１に表示されている情報に係る情報名を記憶装置１５に記憶させ、第３操作によって、メモリ１５から情報名を読み出して情報名に係る情報を液晶パネル１１に表示させる。これにより、操作スイッチによる簡単な操作によって希望する情報を表示できる。【選択図】図２
2008268770.tif 000002
【特許請求の範囲】
【請求項１】
表示パネルと、
記憶装置と、
第１操作と第２操作と第３操作とを行う操作スイッチと、
前記第１操作と前記第３操作の各操作によって前記表示パネルの表示状態を制御し、且つ、前記第２操作によって前記記憶装置の記憶状態を制御する制御装置とを備え、
前記第１操作を繰り返す毎に複数の情報を切り替えて前記表示パネルに表示させ、
前記第２操作によって、前記表示パネルに表示されている情報に係る情報名を前記記憶装置に記憶させ、
前記第３操作によって、前記記憶装置から前記情報名を読み出して該情報名に係る前記情報を前記表示パネルに表示させることを特徴とする表示装置。
【請求項２】
前記第２操作を繰り返す毎に前記情報名を前記記憶装置に記憶させ、
前記第３操作を繰り返す毎に、前記記憶装置から前記情報名を切り替えて読み出し、且つ、該情報名に係る前記情報を前記表示パネルに表示させ、
前記制御装置は、前記記憶装置に記憶させておく前記情報名の個数を、前記複数未満の所定数以下に制限することを特徴とする請求項１に記載の表示装置。
【請求項３】
前記所定数の前記情報名が前記記憶装置に記憶されている場合、前記第２操作によって、前記記憶装置から１個の該情報名を消去して、前記表示パネルに表示されている情報に係る情報名を該記憶装置に記憶させることを特徴とする請求項２に記載の表示装置。
【請求項４】
前記所定数を１とすることを特徴とする請求項２または請求項３に記載の表示装置。
【請求項５】
前記操作スイッチは、前記第１操作を行う第１操作スイッチと、前記第２操作と前記第３操作とを行う第２操作スイッチとを備えることを特徴とする請求項１ないし請求項４のいずれか一項に記載の表示装置。
【請求項６】
前記第３操作は、前記第２操作スイッチを押す操作であり、
前記第２操作は、前記第３操作より長い時間前記第２操作スイッチを押す操作であることを特徴とする請求項５に記載の表示装置。
【請求項７】
前記操作スイッチは、前記第１操作を行う第１操作スイッチと、前記第２操作を行う第２操作スイッチと、前記第３操作を行う第３操作スイッチとを備えることを特徴とする請求項１ないし請求項４のいずれか一項に記載の表示装置。
【発明の詳細な説明】
【技術分野】
【０００１】
本発明は、複数の情報を切り替えて表示する表示装置に関するものである。
【背景技術】
【０００２】
近年、技術の発展によって車両に関連して利用可能な情報が増加し、この多くの情報を、限られたスペースで運転者に知らせるため、多機能表示装置が、車両用の表示装置として搭載されている。多機能表示装置は、液晶パネル等の表示パネルと、操作スイッチと、操作スイッチによる同じ操作を繰り返すことによって複数の情報を切り替えて表示パネルに表示させる制御装置とを備える。
【０００３】
この多機能表示装置によって、限られたスペースで多くの情報を運転者に知らせることができる。
【発明の開示】
【発明が解決しようとする課題】
【０００４】
しかし、多くの情報の中から希望する情報を得るため、希望する情報を表示パネルに表示させるまで、操作スイッチによる同じ操作を繰り返し行う必要がある。
【０００５】
本発明は、このような事情を考慮してなされたものであり、複数の情報を切り替えて表示する表示装置において、操作スイッチによる簡単な操作によって希望する情報を表示させることを目的とする。
【課題を解決するための手段】
【０００６】
本発明は上記目的を達成するため、以下の技術的手段を採用する。
【０００７】
請求項１に記載の表示装置は、表示パネルと、記憶装置と、第１操作と第２操作と第３操作とを行う操作スイッチと、第１操作と第３操作の各操作によって表示パネルの表示状態を制御し、且つ、第２操作によって記憶装置の記憶状態を制御する制御装置とを備え、第１操作を繰り返す毎に複数の情報を切り替えて表示パネルに表示させ、第２操作によって、表示パネルに表示されている情報に係る情報名を記憶装置に記憶させ、第３操作によって、記憶装置から情報名を読み出して情報名に係る情報を表示パネルに表示させることを特徴とする。
【０００８】
この構成では、第２操作によって、表示パネルに表示されている情報に係る情報名を記憶装置に記憶させ、第３操作によって、記憶装置から情報名を読み出し、且つ、読み出した情報名に係る情報を表示パネルに表示させる。これにより、希望する情報に係る情報名を記憶装置に記憶させておき、第３操作によって記憶装置からこの情報名を読み出して、この希望する情報を表示パネルに表示させることができる。したがって、操作スイッチの第三操作による簡単な操作によって希望する情報を表示させることができる。
【０００９】
請求項２に記載の表示装置は、第２操作を繰り返す毎に情報名を記憶装置に記憶させ、第３操作を繰り返す毎に、記憶装置から情報名を切り替えて読み出し、且つ、情報名に係る情報を表示パネルに表示させ、制御装置が、記憶装置に記憶させておく情報名の個数を、複数未満の所定数以下に制限することを特徴とする。
【００１０】
この構成では、記憶装置に記憶させておく情報名の個数を、複数未満の所定数以下に制限し、第３操作を繰り返す毎に、記憶装置から情報名を切り替えて読み出し、この読み出した情報名に係る情報を表示パネルに表示させる。これにより、第１操作を繰り返すことによって切り替えて表示させる情報の個数である複数より、第３操作を繰り返すことによって切り替えて表示させる情報の個数を少なくできる。即ち、希望する情報を表示させるために第１操作を繰り返す回数と比較して、この希望する情報を表示させるために第３操作を繰り返す回数が少なくて済む。したがって、操作スイッチの第三操作を繰り返す回数が少なくて済む簡単な操作によって希望する情報を表示させることができる。
【００１１】
請求項３に記載の表示装置は、所定数の情報名が記憶装置に記憶されている場合、第２操作によって、記憶装置から１個の情報名を消去して、表示パネルに表示されている情報に係る情報名を記憶装置に記憶させることを特徴とする。これにより、記憶装置に記憶させておく情報名の個数を、複数未満の所定数以下に制限しつつ、新たに、希望する情報に係る情報名を記憶装置に記憶させることができる。
【００１２】
請求項４に記載の表示装置は、所定数を１とすることを特徴とする。これにより、記憶装置に記憶されている情報名が１個となるため、１回の第３操作によって、この情報名に係る情報を希望する情報として表示させることができる。即ち、操作スイッチによる１回の第３操作で済む簡単な操作によって希望する情報を表示させることができる。
【００１３】
請求項５に記載の表示装置は、操作スイッチが、第１操作を行う第１操作スイッチと、第２操作と第３操作とを行う第２操作スイッチとを備えることを特徴とする。これにより、第１操作に対する第２操作と第３操作の区別を容易化できる。
【００１４】
請求項６に記載の表示装置は、第３操作が、第２操作スイッチを押す操作であり、第２操作が、第３操作より長い時間第２操作スイッチを押す操作であることを特徴とする。これにより、第２操作と第３操作の区別を容易化できる。
【００１５】
請求項７に記載の表示装置は、操作スイッチが、第１操作を行う第１操作スイッチと、第２操作を行う第２操作スイッチと、第３操作を行う第３操作スイッチとを備えることを特徴とする。これにより、第１操作と第２操作と第３操作の区別を容易化できる。
【発明を実施するための最良の形態】
【００１６】
以下、本発明による表示装置を図面に基づいて説明する。
【００１７】
表示装置である多機能表示装置１０は、図１に示すように、コンビネーションメータ１内に配置され、コンビネーションメータ１は、自動車の運転席前方に配置されて当該自動車に関する各種情報を表示する。本実施形態によるコンビネーションメータ１は、速度計２と、回転計３と、ギアチェンジ表示部４と、多機能表示装置１０とを備える。速度計２は、当該自動車の走行速度を表示する指針計器であり、回転計３は、当該自動車のエンジン回転数を表示する指針計器であり、ギアチェンジ表示部４は、当該自動車のギアチェンジ状態を表示する表示部である。
【００１８】
多機能表示装置１０は、図１と図２に示すように、表示パネルである液晶パネル１１と、操作スイッチである第１操作スイッチ１２と第２操作スイッチ１３と、制御装置１４と、記憶装置であるメモリ１５とを備える。
【００１９】
液晶パネル１１は、例えば、図示しない薄膜トランジスタ（ＴＦＴ）によって駆動されるタイプのアクティブマトリックス方式の表示パネルであり、マトリックス状に複数の画素が形成されている。ＴＦＴのゲートに電圧を印加することによって各画素に印加する電圧を制御し、これにより、各画素の光透過率を制御する。図示しない発光ダイオード等の光源を、液晶パネル１１の背後に配置し、各光透過率が制御されている各画素を発光ダイオードが透過照明することによって、液晶パネル１１に表示をさせる。
【００２０】
マイクロコンピュータ等から構成される制御装置１４は、各種情報信号と、第１操作である第１操作スイッチ１２を押す操作（短押し操作）の操作信号とを受け、これに基いて液晶パネル１１の表示を制御するように構成される。これにより、制御装置１４は、第１操作スイッチ１２の短押し操作を繰り返すことによって、情報である当該自動車の平均燃費情報や当該自動車の走行可能距離情報や外気温情報や時刻情報等の複数の情報を、切り替えて液晶パネル１１に表示させる。
【００２１】
具体的に、図３に示すように、第１操作スイッチ１２の短押し操作を繰り返す毎に、平均燃費情報を表示するモードＭ１０から走行可能距離情報を表示するモードＭ２０へ切り替わり、モードＭ２０から外気温情報を表示するモードＭ３０へ切り替わり、モードＭ３０から時刻情報を表示するモードＭ４０へ切り替わり、情報の個数だけこれを繰り返して、モードＭ１０へ戻る。第１操作スイッチ１２の短押し操作を繰り返す限り、以上の切替を繰り返す。
【００２２】
図４（ａ）に示すように、モードＭ１０では、液晶パネル１１は、平均燃費情報１１ａに加えて、当該自動車の累積走行距離情報１１ｂとを表示する。図４（ｂ）に示すように、モードＭ２０では、液晶パネル１１は、走行可能距離情報１１ｃに加えて、当該自動車の累積走行距離情報１１ｂとを表示する。図４（ｃ）に示すように、モードＭ３０では、液晶パネル１１は、外気温情報１１ｄに加えて、当該自動車の累積走行距離情報１１ｂとを表示する。このように、第１操作スイッチ１２を短押しする毎に、液晶パネル１１の表示する情報が切り替えられるが、累積走行距離情報１１ｂは常時表示されるように構成される。
【００２３】
メモリ１５は、電気的に記憶データの書き換えが可能な不揮発性メモリもしくはバックアップＲＡＭ（ランダムアクセスメモリ）等を含むメモリである。制御装置１４は、液晶パネル１１に表示されている情報に係る情報名を、第２操作である第２操作スイッチ１３を押す操作（長押し操作）によってメモリ１５に記憶させる。また、制御装置１４は、第３操作である第２操作スイッチ１３を押す操作（短押し操作）によってメモリ１５からこの情報名を読み出し、この情報名に係る情報を液晶パネル１１に表示させる。
【００２４】
例えば、図４（ｂ）に示すように液晶パネル１１に走行可能距離情報１１ｃが表示されている場合、走行可能距離情報１１ｃに係る情報名である走行可能距離を、第２操作スイッチ１３の長押し操作によってメモリ１５に記憶させておく。そして、第２操作スイッチ１３の短押し操作によってメモリ１５からこの走行可能距離を読み出し、この走行可能距離に係る走行可能距離情報１１ｃを液晶パネル１１に表示させる。
【００２５】
これにより、希望する情報として走行可能距離情報１１ｃに係る走行可能距離をメモリ１５に記憶させておき、第２操作スイッチ１３の短押し操作によってメモリ１５からこの走行可能距離を読み出して、この希望する情報として走行可能距離情報１１ｃを液晶パネル１１に表示させることができる。即ち、第２操作スイッチ１３の短押し操作という簡単な操作によって希望する情報を表示させることができる。
【００２６】
尚、情報名をメモリ１５に記憶させる場合、メモリ１５に既に記憶されている情報名を消去させる。例えば、メモリ１５に既に外気温が記憶されている状態において、走行可能距離をメモリ１５に記憶させる場合、メモリ１５に記憶されている外気温を消去させる。
【００２７】
これにより、メモリ１５に記憶されている情報名が１個となるため、第２操作スイッチ１３の短押し操作を１回することによって、この情報名に係る情報を希望する情報として表示させることができる。即ち、第２操作スイッチ１３による１回の操作によって希望する情報を表示させることができる。
【００２８】
尚、短押しは、第１操作スイッチ１２と第２操作スイッチ１３を押す時間が２秒未満の押しをいい、長押しは、第２操作スイッチ１３を押す時間が２秒以上の押しをいう。また、第１操作スイッチ１２と第２操作スイッチ１３を設けることによって、第１操作に対する第２操作と第３操作の区別を容易化でき、第２操作を長押し操作とし第３操作を短押し操作とすることによって、第２操作と第３操作の区別を容易化できる。
【００２９】
次に、以上のように構成された多機能表示装置１０において、制御装置１４が実行する制御フローを、図５に基いて説明する。
【００３０】
ステップＳ１０で液晶パネル１１に情報を表示させる。例えば、図４（ａ）に示すモードＭ１０を液晶パネル１１に表示させる。ステップＳ２０で第１操作スイッチ１２を短押し操作したか否かを判定する。ステップＳ２０で「ＹＥＳ」と判定された場合、即ち、第１操作スイッチ１２を短押し操作したと判定された場合、スッテプＳ３０で、次の情報を液晶パネル１１に表示させる。具体的に、モードＭ１０からモードＭ２０へ切り替えて、図４（ｂ）に示すモードＭ２０を液晶パネル１１に表示させる。
【００３１】
スッテプＳ３０の後、スッテプＳ４０で第２操作スイッチ１３を操作したか否かを判定する。ステップＳ２０で「ＮＯ」と判定された場合、即ち、第１操作スイッチ１２を短押し操作していないと判定された場合も、スッテプＳ４０で第２操作スイッチ１３を操作したか否かを判定する。ステップＳ４０で「ＮＯ」と判定された場合、即ち、第２操作スイッチ１３を操作していないと判定された場合、ステップＳ１０へ戻る。
【００３２】
ステップＳ４０で「ＹＥＳ」と判定された場合、即ち、第２操作スイッチ１３を操作したと判定された場合、スッテプＳ５０で第２操作スイッチ１３を長押し操作したか否かを判定する。ステップＳ５０で「ＹＥＳ」と判定された場合、即ち、第２操作スイッチ１３を長押し操作したと判定された場合、ステップＳ６０で表示情報名を記憶させる。具体的に、モードＭ２０の走行可能距離情報１１ｃを液晶パネル１１に表示させている場合、走行可能距離をメモリ１５に記憶させる。ステップＳ６０の後、ステップＳ１０へ戻る。
【００３３】
ここで、既に例えば外気温がメモリ１５に記憶されている場合、外気温を消去して、走行可能距離をメモリ１５に記憶させる。これにより、メモリ１５に記憶されている情報名が１個になっている。
【００３４】
ステップＳ５０で「ＮＯ」と判定された場合、即ち、第２操作スイッチ１３を長押し操作していないと判定された場合、つまり、第２操作スイッチ１３を短押し操作したと判定された場合、記憶情報を表示させる。具体的に、走行可能距離がメモリ１５に記憶されている場合、走行可能距離をメモリ１５から読み出して走行可能距離情報１１ｃを液晶パネル１１に表示させる。
【００３５】
これにより、第２操作スイッチ１３の短押し操作を１回することによって、走行可能距離情報１１ｃを希望する情報として表示させることができる。即ち、第２操作スイッチ１３による１回の操作によって希望する情報を表示させることができる。
【００３６】
ステップＳ７０の後、ステップＳ１０へ戻る。ステップＳ１０へ戻った後、上述の制御フローを繰り返す。
【００３７】
上述の例では、メモリ１５に情報名を１個記憶させる構成としたが、これに限らない。メモリ１５に記憶させる情報名の個数を、第１操作スイッチ１２の短押し操作を繰り返すことによって表示される情報の個数より少ない所定個数に制限した構成とすることが可能である。この場合、第２操作スイッチ１３の短押し操作を繰り返すことによって、所定の情報名を目盛１５から読み出して、この情報名に係る情報を希望する情報として液晶パネル１１に表示させる。例えば、第１操作スイッチ１２の短押し操作を繰り返すことによって表示される情報の個数を２０個として、メモリ１５に記憶されている情報名の個数を３個とすると、第１操作スイッチ１２の短押し操作では２０回繰り返す必要があるのに対して、第２操作スイッチ１３の短押し操作では３回繰り返すことによって希望する情報を液晶パネル１１に表示させることができる。即ち、第２操作スイッチ１３の操作を繰り返す回数が少なくて済む簡単な操作によって希望する情報を表示できる。
【００３８】
また、メモリ１５に記憶させる情報名の個数を３個に制限している場合において、３個の情報名が既にメモリ１５に記憶されている場合、第２操作スイッチ１３の長押し操作によって、メモリ１５から１個の情報名を消去して、液晶パネル１１に表示されている情報に係る情報名をメモリ１５に記憶させる。これにより、メモリ１５に記憶させておく情報名の個数を、３個以下に制限しつつ、新たに、希望する情報に係る情報名をメモリ１５に記憶させることができる。
【００３９】
以上本実施形態による表示装置である多機能表示装置１０は、表示パネルである液晶パネル１１と、記憶装置であるメモリ１５と、第１操作と第２操作と第３操作とを行う操作スイッチである第１操作スイッチ１２と第２操作スイッチ１３と、第１操作と第３操作の各操作によって液晶パネル１１の表示状態を制御し、且つ、第２操作によってメモリ１５の記憶状態を制御する制御装置１４とを備え、第１操作である第１操作スイッチ１２の短押し操作を繰り返す毎に複数の情報を切り替えて液晶パネル１１に表示させ、第２操作である第２操作スイッチ１３の長押し操作によって、液晶パネル１１に表示されている情報に係る情報名をメモリ１５に記憶させ、第３操作である第２操作スイッチ１３の短押し操作によって、メモリ１５から情報名を読み出して情報名に係る情報を液晶パネル１１に表示させる。これにより、操作スイッチによる簡単な操作によって希望する情報を表示できる。
【００４０】
（変形例）
尚、第１操作スイッチ１２と第２操作スイッチ１３を、１個の操作スイッチとして共用させることも可能である。この場合、第１操作スイッチ１２の短押し操作を、操作スイッチの短押し操作とし、第２操作スイッチ１３の短押し操作を、操作スイッチによる連続２回の短押し操作とし、第２操作スイッチ１３の長押し操作を、操作スイッチによる長押し操作とする。操作スイッチによる連続２回の短押し操作とは、例えば、３秒以内に連続して２回短押し操作をすることをいう。これにより、多機能表示装置１０の構成を簡素化しつつ、第１操作と第２操作と第３操作との区別を容易化できる。したがって、この効果を得つつ、上述と同様の効果を得ることができる。
【００４１】
また、第２操作と第３操作を異なる操作スイッチによって行うようにすることも可能である。例えば、第２操作を第２操作スイッチ１３によって行い、第３操作を行う第３操作スイッチを、新たに設ける。即ち、第１操作を行う第１操作スイッチ１２と、第２操作を行う第２操作スイッチ１３と、第３操作を行う第３操作スイッチとを設ける。これにより、第１操作と第２操作と第３操作の区別を容易化できる。
【００４２】
また、液晶パネル１１を単純マトリックス方式の液晶パネルとすることができ、この場合でも、上述と同様の効果を得ることができる。
【００４３】
また、受光型（非発光型）の表示パネルである液晶パネル１１の代わりに、発光型の表示パネルであるＥＬ（エレクトロ・ルミネセンス）表示パネルを使用することも可能である。
【００４４】
また、上述した例に限らないで、これらの組み合わせや、他の種々の変形例が考えられる。
【図面の簡単な説明】
【００４５】
【図１】図１は、本発明の一実施形態による表示装置である多機能表示装置１０を備えるコンビネーションメータ１の正面図である。
【図２】図２は、図１中の示す多機能表示装置１０の回路構成図である。
【図３】図３は、図２中の液晶パネル１１が表示する情報の切替フローを示すフローチャートである。
【図４】図４は、図２中の液晶パネル１１が情報を表示する例を示す正面図である。
【図５】図５は、図２中の制御装置１４が実行する制御フローを示すフローチャートである。
【符号の説明】
【００４６】
１  コンビネーションメータ、２  速度計、３  回転計、４  ギアチェンジ表示部
１０  多機能表示装置（表示装置）、１１  液晶パネル（表示パネル）
１１ａ  平均燃費情報（情報）、１１ｂ  累積走行距離情報
１１ｃ  走行可能距離情報（情報）、１１ｄ  外気温情報（情報）
１２  第１操作スイッチ（操作スイッチ）、１３  第２操作スイッチ（操作スイッチ）
１４  制御装置、１５  メモリ（記憶装置）
【図１】
2008268770.tif 000003
【図２】
2008268770.tif 000004
【図３】
2008268770.tif 000005
【図４】
2008268770.tif 000006
【図５】
2008268770.tif 000007